(57)【要約】【課題】主にカメラや携帯電話等に用いられるレンズアクチュエータに関し、安定してＯＩＳコイルへ電流を供給可能なものを提供することを目的とする。【解決手段】複数のＯＩＳコイル８２Ａ〜８２Ｄと配線基板であるフレキシブルプリント配線板７２を保持部８１に固定し、フレキシブルプリント配線板７２にそれぞれのＯＩＳコイル８２Ａ〜８２Ｄの端部を接続する接続端子を備えることにより、安定してＯＩＳコイル８２Ａ〜８２Ｄへ電流を供給可能となる。【選択図】図５
2015143726.tif 000002
【特許請求の範囲】
【請求項１】
レンズを光軸方向に移動させる可動ユニットと、前記可動ユニットに一端が接続される複数のワイヤと、前記複数のワイヤの他端が接続されるコイルユニットを備え、
前記可動ユニットは磁石を有し、
前記コイルユニットは前記磁石との間で電磁力を発生させる複数のＯＩＳコイルと、前記複数のＯＩＳコイルが固定される保持部と、前記保持部に固定されると共に前記複数のＯＩＳコイルの少なくとも一方の端部を接続する接続端子を備える配線基板を有するレンズアクチュエータ。
【請求項２】
前記保持部に突起部を設けた請求項１記載のレンズアクチュエータ。
【請求項３】
前記突起部を前記配線基板に貫通させる請求項２記載のレンズアクチュエータ。
【請求項４】
前記複数のＯＩＳコイルは、対向する第一のＯＩＳコイルと第二のＯＩＳコイルを含み、前記コイルユニットは、前記第一のＯＩＳコイルと前記第二のＯＩＳコイルを接続する渡り線を備え、前記第一のＯＩＳコイルと前記第二のＯＩＳコイルと前記渡り線は一本のコイル線で構成される請求項１記載のレンズアクチュエータ。
【請求項５】
前記ＯＩＳコイルが配置される平面と、前記突起部が配置される平面は直交した請求項２記載のレンズアクチュエータ。
【発明の詳細な説明】
【技術分野】
【０００１】
本発明は、主にカメラや携帯電話等に用いられるレンズアクチュエータに関するものである。
【背景技術】
【０００２】
近年、カメラや携帯電話等において、撮影時の手振れ等による映像や画像の乱れを抑制するため、レンズの振動を機械的に抑制する振れ補正機構を備えたレンズアクチュエータを用いたものが提案されている。
【０００３】
このような従来のレンズアクチュエータについて、図９、図１０を用いて説明する。
【０００４】
図９は従来のレンズアクチュエータ２０の断面図、図１０は同分解斜視図である。ここで、レンズアクチュエータ２０は、可動ユニット１と四つのコイル保持体２Ａ〜２Ｄと下カバー３と、四本のワイヤ４と、上カバー５から構成され、手振れ等が生じると可動ユニット１が揺動して映像や画像の乱れを抑制するものである。
【０００５】
この可動ユニット１は、磁石ホルダ１１と、レンズが内部で上下動するオートフォーカスユニット１２と、撮像体１３を備えている。
【０００６】
ここで、オートフォーカスユニット１２の前後左右の内側面には、八つの磁石１４が上下二段に並んで固定されている。また、磁石１４より若干大きな四つの磁石１５が磁石ホルダ１１の前後左右の外側面に固定される。
【０００７】
また、オートフォーカスユニット１２はレンズが固定される円孔１２Ａを備え、磁石ホルダ１１の内側に収納されている。そして、オートフォーカスユニット１２内でレンズを保持するレンズホルダ１９には、その外周に上下二段にＡＦ（Ａｕｔｏ  Ｆｏｃｕｓ）コイル１６が巻回され、ＡＦコイル１６は磁石ホルダ１１の内側面に配置される磁石１４に対向している。
【０００８】
つまり可動ユニット１において、ＡＦコイル１６に電流が流れることにより、磁石１４との間で電磁力が生じ、レンズホルダ１９が磁石ホルダ１１に対し上下に可動するよう構成されている。
【０００９】
また、撮像体１３の上面には撮像素子１７が配置されている。ここで撮像素子１７はＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の半導体素子が用いられる。
【００１０】
この撮像素子１７は、円孔１２Ａの中心下方にあり、レンズホルダ１９を上下に移動させることで、撮像素子１７で撮像される映像あるいは画像の焦点を自動で合わせるオートフォーカス制御ができる。
【００１１】
そして、下カバー３の四隅にワイヤ４が立てられ、可動ユニット１の磁石ホルダ１１の上面の四隅に接続され、下カバー３上で可動ユニット１が揺動可能に保持される。さらに、コイル保持体２Ａ〜２Ｄが可動ユニット１の前後左右に配置されて、ＯＩＳ（Ｏｐｔｉｃａｌ  Ｉｍａｇｅ  Ｓｔａｂｉｌｉｚａｔｉｏｎ）コイル１８が磁石１５に対向した状態で配置される。
【００１２】
そして、レンズアクチュエータ２０を搭載した電子機器を使用した際に、手振れ等で、撮像素子１７で撮像した映像や画像が振れた場合には、可動ユニット１を揺動させることにより撮像した映像や画像を補正する振れ補正制御を行うものとなっていた。
【００１３】
なお、この出願の発明に関連する先行技術文献情報としては、例えば、特許文献１が知られている。
【先行技術文献】
【特許文献】
【００１４】
【特許文献１】国際公開第２００９／１３３６９１号
【発明の概要】
【発明が解決しようとする課題】
【００１５】
しかしながら、上記従来のレンズアクチュエータは、ＯＩＳコイルへどのように安定して電流を供給するのか適切な構造が開示されていなかった。
【００１６】
本発明は、このような従来の課題を解決するものであり、安定してＯＩＳコイルへ電流を供給可能なレンズアクチュエータを提供することを目的とする。
【課題を解決するための手段】
【００１７】
上記目的を達成するために本発明は、特に、磁石との間で電磁力を発生させる複数のＯＩＳコイルと、複数のＯＩＳコイルが固定される保持部と、保持部に固定されると共に前記複数のＯＩＳコイルの少なくとも一方の端部を接続する接続端子を備える配線基板を有して構成される。
【発明の効果】
【００１８】
本発明によれば、磁石との間で電磁力を発生させる複数のＯＩＳコイルと、複数のＯＩＳコイルが固定される保持部と、保持部に固定されると共に前記複数のＯＩＳコイルの少なくとも一方の端部を接続する接続端子を備える配線基板を有することにより、安定してＯＩＳコイルへ電流を供給可能なレンズアクチュエータを実現することができる。
【図面の簡単な説明】
【００１９】
【図１】本発明の実施の形態１によるレンズアクチュエータの分解斜視図
【図２】同レンズアクチュエータの断面図
【図３】同レンズアクチュエータの分解斜視図
【図４】同レンズアクチュエータに用いるコイル体を上下方向に半回転させた斜視図
【図５】同レンズアクチュエータに用いるコイル体とフレキシブルプリント配線板を組合せた斜視図
【図６】本発明の実施の形態２によるレンズアクチュエータの分解斜視図
【図７】同レンズアクチュエータに用いるコイル体の斜視図
【図８】同レンズアクチュエータに用いるフレキシブルプリント配線板の斜視図
【図９】従来のレンズアクチュエータの斜視断面図
【図１０】同分解斜視図
【発明を実施するための形態】
【００２０】
以下、本発明の実施の形態について、図１〜図８を用いて説明する。
【００２１】
（実施の形態１）
図１は本発明の実施の形態１によるレンズアクチュエータ１００の分解斜視図、図２は同断面図である。ここで、レンズアクチュエータ１００は、可動ユニット３１とコイルユニット３２と、ワイヤ３３Ａ〜３３Ｄと、上カバー３４から構成される。
【００２２】
このレンズアクチュエータ１００は、例えば左右方向（Ｙ軸方向）の幅が５ｍｍ〜２０ｍｍ、前後方向（Ｘ軸方向）の奥行きが５ｍｍ〜２０ｍｍ、上下方向（Ｚ軸方向）の高さが２ｍｍ〜１０ｍｍで、左右方向の幅と前後方向の奥行きはほぼ同じ寸法で構成される。
【００２３】
まず、可動ユニット３１の構成から説明する。ここで、図３に示すのはレンズアクチュエータ１００の詳細な分解斜視図である。
【００２４】
ここで、可動ユニット３１は、レンズホルダ４１と、磁石ホルダ４２と、磁石４３Ａ〜４３Ｄと、上バネ４４と、下バネ４５と、下プレート４６から構成される。
【００２５】
レンズホルダ４１は、キャリア５１と、キャリア５１の外周に配置されたＡＦコイル５２を備えている。
【００２６】
ここで、キャリア５１は中央にレンズ（図示せず）を保持可能な円孔５１Ａを備えた方形箱状で、ガラス入りポリカーボネート等の絶縁樹脂を材料として形成されている。ここで円孔５１Ａは直径が一定であっても、変化していても良い。また、内側にレンズを固定するためのネジ等の形状を備えていても良い。
【００２７】
ＡＦコイル５２は、線径Φ４０μｍ〜Φ６０μｍのエナメル線等のコイル線が、レンズの光軸方向を軸としてキャリア５１に巻回される。
【００２８】
また、磁石ホルダ４２は、中央に孔４２Ａを備えた方形板状でガラス入りポリカーボネート等の絶縁樹脂により形成されている。
【００２９】
また、磁石４３Ａ〜４３Ｄは、磁石ホルダ４２の下面に接着剤（図示せず）等で固定される。ここで、磁石４３Ａ〜４３Ｄは、内側面側の磁極が同じ磁極で着磁される。例えば、磁石４３Ａ〜４３Ｄの内側面はＮ極で着磁され、外側面がＳ極で着磁される。磁石４３Ａ〜４３Ｄは、ネオジム、鉄、ホウ素を主成分とする希土類磁石であるネオジム磁石等が用いられる。
【００３０】
そして、磁石ホルダ４２の孔４２Ａにレンズホルダ４１が挿入され、ＡＦコイル５２と磁石４３Ａ〜４３Ｄが対向する。
【００３１】
上バネ４４は、外周部４４Ａと内周部４４Ｂとが、四方のバネ部４４Ｃで接続された導電金属製の板バネである。ここで、外周部４４Ａの四方の端部近傍には、孔４４Ｄが設けられる。
【００３２】
下バネ４５は、外周部４５Ａと内周部４５Ｂとが、四方のバネ部４５Ｃで接続された導電金属製の板バネである。
【００３３】
また、下プレート４６は、中央に円孔４６Ａを備える。そして、円孔５１Ａの中心の下方に円孔４６Ａの中心が位置するよう下プレート４６が配置される。
【００３４】
そして、外周部４４Ａが磁石ホルダ４２の上面に、下プレート４６が外周部４５Ａを挟んで、磁石ホルダ４２の下面に固定される。また、内周部４４Ｂと内周部４５Ｂはレンズホルダ４１に固定される。これにより、ＡＦコイル５２に電流が流れていない場合は、レンズホルダ４１が磁石ホルダ４２に対し所定位置に復帰可能な構成となる。
【００３５】
このように構成された可動ユニット３１は、ＡＦコイル５２に電流を流すことにより、磁石４３Ａ〜４３Ｄとの間で電磁力が生じ、レンズホルダ４１が磁石４３Ａ〜４３Ｄに対し上下に可動し、あるいはレンズホルダ４１の重量と下バネ４５、上バネ４４のバネ力と電磁力との均衡をとってレンズホルダ４１を停止させる。
【００３６】
また、ＡＦコイル５２に電流が流れていない場合は、レンズホルダ４１が磁石ホルダ４２に対し所定位置に復帰する。
【００３７】
図３に加え、図４、図５を用いて、可動ユニット３１以外の構成要素について説明する。
【００３８】
コイルユニット３２は、コイル体７１と、フレキシブルプリント配線板７２と、磁気検出素子７３と、ベース７４を備える。
【００３９】
コイル体７１は、保持部８１と、ＯＩＳコイル８２Ａ〜８２Ｄを備える。保持部８１の中央には円孔８１Ａが設けられる。ＯＩＳコイル８２Ａ〜８２Ｄは保持部８１の前後左右の側面板８１Ｂの内側に配置される。
【００４０】
図４は、コイル体７１を上下方向に半回転させた斜視図である。
【００４１】
同図において、保持部８１の側面の四方には側面板８１Ｂが設けられ、それぞれの側面板８１Ｂの内側に溝部８１Ｃが、保持部８１がフレキシブルプリント配線板７２と接する方向に八つの突起部８１Ｄが設けられている。ここで、ＯＩＳコイル８２Ａ〜８２Ｄは溝部８１Ｃに巻回され、ＯＩＳコイル８２Ａ〜８２Ｄのそれぞれの両端が巻回された溝部８１Ｃ近傍の突起部８１Ｄに巻回されている。例えば、ＯＩＳコイル８２Ａが巻回された溝部８１Ｃ近傍の突起部８１Ｄを、それぞれ突起部８１１、８１２とすると、ＯＩＳコイル８２Ａは一端を突起部８１１に巻回され、それから溝部８１Ｃに巻回される。そして、溝部８１Ｃに巻回された後、他端が突起部８１２に巻回される。
【００４２】
ここで、突起部８１Ｄは、保持部８１においてＯＩＳコイル８２Ａが配置される平面と直交した平面に配置されている。この直交の角度範囲としては、例えば８０度以上１１０度以下が望ましい。この範囲であれば同等の効果が得られる。これにより、コイル線を溝部８１Ｃと突起部８１Ｄに巻くときのノズルが通過する空間を確保することによってコイルを高密度に効率よく巻くことができる。また、突起部８１ＤとＯＩＳコイル８２Ａは、同一側面に配置されていないので、ＯＩＳコイル８２のコイル面積を大きくでき、振れ補正制御のための駆動力を大きくすることができる。
【００４３】
このように、ＯＩＳコイル８２の電気的接続を安定したまま、駆動力を向上することができるため振れ補正制御の精度を向上することが可能である。
【００４４】
また、図５はコイル体７１にフレキシブルプリント配線板７２を固定し、下方斜めからみた斜視図である。
【００４５】
配線基板の一例であるフレキシブルプリント配線板７２は、内部に所定のパターンで配線が配置される。また、フレキシブルプリント配線板７２は中央に円孔７２Ａを備える。また、フレキシブルプリント配線板７２には、円孔７２Ａの周囲に八つの孔７２Ｂが設けられ、それぞれの孔７２Ｂから突起部８１Ｄが突出する。また、それぞれの孔７２Ｂの周囲に接続端子７２Ｃが配置され接続端子７２ＣとＯＩＳコイル８２Ａ〜８２Ｄの両端が巻回された突起部８１Ｄが接続端子７２Ｃにはんだ付け等で電気的に導通した状態で固定される。なお、それぞれの接続端子７２Ｃはフレキシブルプリント配線板７２の内部の配線に接続されており、ＯＩＳコイル８２Ａ〜８２Ｄは、フレキシブルプリント配線板７２を介して電流を供給可能な構成となっている。なお、配線基板はフレキシブルプリント配線板でも良いし、ガラスエポキシ基板や紙エポキシ基板等のリジッド基板であっても良い。
【００４６】
位置検出素子の一例である磁気検出素子７３は、磁気の変化により可動ユニット３１の位置を検出する素子である。磁気検出素子７３として例えばホール素子があり、ホール素子を用いることで、磁石４３Ａ〜４３Ｄが発生する磁界を検出することができる。磁気検出素子７３は、フレキシブルプリント配線板７２の上面で、円孔７２Ａに対し＋Ｘ方向、−Ｙ方向の中央に配置される。なお、位置検出素子は磁気を検出するものに限らず、静電容量の変化を検出する素子や赤外線の反射を用いるフォトリフレクター等でも良い。
【００４７】
また、図３で示すようにベース７４は、略方形で中央に円孔７４Ａを備える。ベース７４内部には導電金属製の電極（図示せず）が、インサート成型などで一体となっている。また、ベース７４の四隅には孔７４Ｂが設けられ、孔７４Ｂの内部に電極が露出している。また、電極はベース７４の側面にも露出しフレキシブルプリント配線板７２に折り曲げ部７４Ｃ等を介して接続する。
【００４８】
なお、可動ユニット３１のＡＦコイル５２に流れる電流は、フレキシブルプリント配線板７２から、ベース７４と、ワイヤ３３Ａ〜３３Ｄを介し供給される。
【００４９】
このように構成されたレンズアクチュエータ１００の、レンズホルダ４１の円孔５１Ａにレンズ（図示せず）が保持され、下方にＣＣＤイメージセンサやＣＭＯＳイメージセンサ等の撮像素子（図示せず）が配置されて、カメラや携帯電話等の電子機器に装着される。
【００５０】
そして、機器の電子回路（図示せず）に、ＡＦコイル５２と、ＯＩＳコイル８２Ａ〜８２Ｄがフレキシブルプリント配線板７２を介して、接続される。
【００５１】
このように構成されたレンズアクチュエータ１００において、例えば電子機器のシャッター用の押釦（図示せず）を軽く押圧操作すると、電子回路から電圧が印加されてＡＦコイル５２に電流が流れ、レンズホルダ４１及びレンズホルダ４１の円孔５１Ａに保持されたレンズが上下方向へ移動して、オートフォーカス制御が行われ、映像または画像のピント合わせを自動的に行う。
【００５２】
また、シャッター用の押釦をさらに押圧操作して撮影を行った際に、手振れ等が生じた場合には、振動を電子機器内に別途設けた角速度センサ（図示せず）等によって電子回路で検出し、電子回路がＯＩＳコイル８２に流す電流を制御して前後または左右方向へ可動ユニット３１を移動させ、振れ補正制御が行われる。
【００５３】
なお、本発明のレンズアクチュエータ１００によって撮影される映像もしくは画像は、静止画であっても動画であってもよい。
【００５４】
また、可動ユニット３１は磁石４３Ａ〜４３ＤとＡＦコイル５２の間で生じる電磁力によりレンズホルダ４１を光軸方向へ上下動させるものとして説明したが、レンズホルダ４１を光軸方向へ上下動させる方式としては電磁力を用いるものに限らず、形状記憶合金を用いるものや圧電素子（ピエゾ素子）を用いるものや静電素子を用いるもの等、他の方式であっても良い。
【００５５】
このように本実施の形態によれば、磁石４３Ａ〜４３Ｄとの間で電磁力を発生させる複数のＯＩＳコイル８２Ａ〜８２Ｄと、複数のＯＩＳコイル８２Ａ〜８２Ｄが固定される保持部８１と、保持部８１に固定されると共に前記複数のＯＩＳコイル８２Ａ〜８２Ｄの少なくとも一方の端部を接続する接続端子７２Ｃを備えるフレキシブルプリント配線板７２を有する。これにより、安定してＯＩＳコイル８２Ａ〜８２Ｄへ電流を供給可能なレンズアクチュエータ１００を実現することができる。
【００５６】
また、保持部８１に突起部８１Ｄを設け、突起部８１Ｄをフレキシブルプリント配線板７２に貫通させてフレキシブルプリント配線板７２と保持部８１を固定することにより、より強くフレキシブルプリント配線板７２と保持部８１を固定するため、ＯＩＳコイル８２Ａ〜８２Ｄへ電流をより安定に供給しうる。
【００５７】
また、突起部８１Ｄは、保持部８１においてＯＩＳコイル８２Ａが配置される平面と直交した平面に配置されている。これにより、コイル線を溝部８１Ｃと突起部８１Ｄに巻くときのノズルが通過する空間を確保することによってコイルを高密度に効率よく巻くことができる。
【００５８】
（実施の形態２）
以下、本発明の実施の形態２におけるレンズアクチュエータ２００について図面を参照しながら説明する。
【００５９】
本実施の形態において、実施の形態１と同様の構成については同一符号を付し、その詳細な説明は省略する。
【００６０】
図６は本発明の実施の形態２によるレンズアクチュエータ２００の分解斜視図である。ここで、レンズアクチュエータ２００は、可動ユニット１３１とコイルユニット１３２と、ワイヤ３３Ａ〜３３Ｄと、上カバー３４と下プレート１３５から構成される。
【００６１】
ここで、可動ユニット１３１は、レンズホルダ１４１に巻回されたＡＦコイル（図示せず）と磁石１４３Ａ〜１４３Ｄを備える。そして、ＡＦコイルと磁石１４３Ａ〜１４３Ｄの間で生じた電磁力によりレンズホルダ１４１が上下動してオートフォーカス制御を行う。なお、磁石１４３Ａ〜１４３Ｄは、上下二段に異なる磁極が着磁されている。例えば磁石１４３Ａ〜１４３Ｄの外側面は、上段にＮ極、下段にＳ極が着磁され、内側面は上段にＳ極、下段にＮ極が着磁される。これにより、磁石１４３Ａ〜１４３Ｄで発生する磁界が整流され、磁石１４３Ａ〜１４３Ｄを用いて発生する電磁力が強くなる。
【００６２】
コイルユニット１３２は、コイル体１７１と、フレキシブルプリント配線板１７２と、磁気検出素子１７３を備える。
【００６３】
図７はコイル体１７１の斜視図であり、同図を用いてコイル体１７１について説明する。
【００６４】
コイル体１７１は、保持部１８１と、ＯＩＳコイル１８２Ａ〜１８２Ｄと、ＯＩＳコイル１８２ＡとＯＩＳコイル１８２Ｃを接続する渡り線１９１Ａと、ＯＩＳコイル１８２ＢとＯＩＳコイル１８２Ｄを接続する渡り線１９１Ｂを備える。
【００６５】
ここで、ＯＩＳコイル１８２ＡとＯＩＳコイル１８２Ｃと渡り線１９１Ａは一本のコイル線で構成され、ＯＩＳコイル１８２ＢとＯＩＳコイル１８２Ｄと渡り線１９１Ｂもまた一本のコイル線で構成される。
【００６６】
保持部１８１は、上面に突起部１８１Ａ〜１８１Ｈを備える。これらの突起部１８１Ａ〜１８１Ｈはコイル線の端部を巻いたり、コイル線を折り曲げたりするために用いられる。
【００６７】
ＯＩＳコイル１８２ＡとＯＩＳコイル１８２Ｃを形成するコイル線は以下の経路で巻回される。まず、突起部１８１Ａにコイル線の一端が固定され、ＯＩＳコイル１８２Ａが巻回される。そして、突起部１８１Ｂから突起部１８１Ｄに、さらに突起部１８１Ｄから突起部１８１Ｆに懸架するよう引き回し、ＯＩＳコイル１８２Ｃを巻回する。さらに、ＯＩＳコイル１８２Ｃを巻回した後、コイル線の他端が突起部１８１Ｅに固定される。
【００６８】
一方、ＯＩＳコイル１８２ＢとＯＩＳコイル１８２Ｄを形成するコイル線は以下の経路で巻回される。まず、突起部１８１Ｃにコイル線の一端が固定され、ＯＩＳコイル１８２Ｂが巻回される。そして、突起部１８１Ｄから突起部１８１Ｂに、突起部１８１Ｂから突起部１８１Ｈに懸架するよう引き回し、ＯＩＳコイル１８２Ｄを巻回する。さらに、ＯＩＳコイル１８２Ｄを巻回した後、コイル線の他端が突起部１８１Ｇに固定される。
【００６９】
つまり、対向するＯＩＳコイル１８２ＡとＯＩＳコイル１８２Ｃが渡り線１９１Ａを介して一本のコイル線で形成され、対向するＯＩＳコイル１８２ＢとＯＩＳコイル１８２Ｄが渡り線１９１Ｂを介して一本のコイル線で形成される。
【００７０】
これにより、ＯＩＳコイル１８２Ａ〜１８２Ｄを二本のコイル線で構成できるため、レンズアクチュエータ２００の生産効率が向上する。
【００７１】
図８は、磁気検出素子１７３を配置したフレキシブルプリント配線板１７２の斜視図である。ここで、フレキシブルプリント配線板１７２は、複数回折り曲げられ、上面基板１７２Ａと三枚の側面基板１７２Ｂを備える。そして、磁気検出素子１７３は隣り合う側面基板１７２Ｂの内側に配置される。
【００７２】
また、上面基板１７２Ａには、上面のそれぞれの角部に端子部１７２Ｃが設けられ、端子部１７２Ｃ内に孔１７２Ｄが設けられる。また、上面基板１７２Ａ上面には、端子部１７２Ｃや磁気検出素子１７３に接続される複数の配線１７２Ｅが配置される。また、側面基板１７２Ｂにも複数の配線１７２Ｆが設けられる。ここで、上面基板１７２Ａに配置された配線１７２Ｅは側面基板１７２Ｂに配置された配線１７２Ｆよりも細い線で形成されている。
【００７３】
このように構成されたフレキシブルプリント配線板１７２は、コイル体１７１の上面に配置され、コイル線が固定された突起部１８１Ａ、１８１Ｃ、１８１Ｅ、１８１Ｇが孔１７２Ｄから突出する。そして、突起部１８１Ａ、１８１Ｃ、１８１Ｅ、１８１Ｇに巻回されたコイル線が端子部１７２Ｃにハンダ付け等で固定され、これによりＯＩＳコイル１８２Ａ〜１８２Ｄにフレキシブルプリント配線板１７２を介して電流を供給することが可能となる。
【００７４】
このフレキシブルプリント配線板１７２はコイル体１７１を覆って配置される。
【００７５】
ここで、コイル体１７１において、対向するＯＩＳコイル１８２ＡとＯＩＳコイル１８２Ｃの間は渡り線１９１Ａで、対向するＯＩＳコイル１８２ＢとＯＩＳコイル１８２Ｄの間は渡り線１９１Ｂで接続している。このように構成すると、フレキシブルプリント配線板１７２の配線１７２Ｅ等を利用して対向するＯＩＳコイル１８２Ａと１８２Ｃ、或いはＯＩＳコイル１８２Ｂと１８２Ｄを接続する場合と比べ、ＯＩＳコイル１８２Ａ〜１８２Ｄで発生する磁界がフレキシブルプリント配線板１７２の配線１７２Ｅ等に与えるノイズを低減することができる。従って、磁気検出素子１７３から配線１７２Ｅを介して伝送される信号がノイズを受け難くなり、レンズアクチュエータ２００のより安定な制御に貢献する。
【００７６】
コイルユニット１３２の内側に可動ユニット１３１が配置され、ワイヤ３３Ａ〜３３Ｄにより可動ユニット１３１とコイルユニット１３２が接続される。組合せた可動ユニット１３１とコイルユニット１３２の下方に下プレート１３５が配置され、上方から上カバー３４が覆っている。
【００７７】
ここで、可動ユニット１３１と、コイルユニット１３２を組み合わせた際に、磁気検出素子１７３が磁石１４３Ａ〜１４３Ｄの下段の磁極の正面に位置する。これにより、磁気検出素子１７３が効率よく磁界を検出することが可能となり、可動ユニット１３１の位置の検出精度が向上する。
【００７８】
このように構成されたレンズアクチュエータ２００は、可動ユニット１３１内にレンズが保持され、下方にＣＣＤイメージセンサやＣＭＯＳイメージセンサ等の撮像素子（図示せず）が配置されて、カメラや携帯電話等の電子機器に装着される。
【００７９】
そして、例えば電子機器のシャッター用の押釦（図示せず）を軽く押圧操作すると、可動ユニット１３１内に保持されたレンズが上下方向へ移動して、オートフォーカス制御が行われ、映像または画像のピント合わせを自動的に行う。
【００８０】
また、シャッター用の押釦をさらに押圧操作して撮影を行った際に、手振れ等が生じた場合には、振動を電子機器内に別途設けた角速度センサ（図示せず）等によって電子回路で検出し、電子回路がＯＩＳコイル１８２Ａ〜１８２Ｄに流す電流を制御して前後または左右方向へ可動ユニット１３１を移動させ、振れ補正制御が行われる。
【００８１】
このように本実施の形態によれば、対向するＯＩＳコイル１８２Ａと１８２Ｃが渡り線１９１Ａを介して一本のコイル線で形成するよう構成しているので、レンズアクチュエータ２００の生産効率が向上すると共に、フレキシブルプリント配線板１７２の配線１７２Ｅへのノイズの影響を抑制しうる。
【産業上の利用可能性】
【００８２】
本発明によるレンズアクチュエータは、安定してＯＩＳコイルへ電流を供給可能なものが得られ、主にカメラや携帯電話等のレンズ動作用として有用である。
【符号の説明】
【００８３】
３１、１３１  可動ユニット
３２、１３２  コイルユニット
３３Ａ〜３３Ｄ  ワイヤ
３４  上カバー
４１、１４１  レンズホルダ
４２  磁石ホルダ
４２Ａ、４４Ｄ、７２Ｂ、７４Ｂ  孔
４３Ａ〜４３Ｄ、１４３Ａ〜１４３Ｄ  磁石
４４Ａ、４５Ａ  外周部
４４Ｂ、４５Ｂ  内周部
４４Ｃ、４５Ｃ  バネ部
４４  上バネ
４５  下バネ
４６、１３５  下プレート
４６Ａ、５１Ａ、７２Ａ、７４Ａ、８１Ａ  円孔
５１  キャリア
５２  ＡＦコイル
７１、１７１  コイル体
７２、１７２  フレキシブルプリント配線板
７２Ｃ  接続端子
７３、１７３  磁気検出素子
７４  ベース
８１、１８１  保持部
８１Ｄ、１８１Ａ〜１８１Ｈ  突起部
８２Ａ〜８２Ｄ、１８２Ａ〜１８２Ｄ  ＯＩＳコイル
１００、２００  レンズアクチュエータ
１７２Ａ  上面基板
１７２Ｂ  側面基板
１７２Ｃ  端子部
１７２Ｄ  孔
１７２Ｅ、１７２Ｆ  配線
１８１Ａ〜１８１Ｈ  突起部
１９１Ａ、１９１Ｂ  渡り線
【図１】
2015143726.tif 000003
【図２】
2015143726.tif 000004
【図３】
2015143726.tif 000005
【図４】
2015143726.tif 000006
【図５】
2015143726.tif 000007
【図６】
2015143726.tif 000008
【図７】
2015143726.tif 000009
【図８】
2015143726.tif 000010
【図９】
2015143726.tif 000011
【図１０】
2015143726.tif 000012